(57)【要約】【課題】目地板を介して左右に配置されるコンクリートを打設する際、目地板の両側を同時に打設することを可能として、工期を大幅に短縮することが可能であり、しかも止水部と目地材との組付けが簡単であり、また組付けにも時間や人手が不要であって、簡易かつ迅速に施工できるようにしたコンクリート構造物の止水部及び目地板部の連結構造を提供しようとするものである。【解決手段】コンクリートの連結部に目地材を配置するとともに、当該目地材の両面の長さ方向に沿って目地材と直交する方向に止水部を突き合わせ、止水部の幅方向の端部の突き合わせ部分に目地材と平行に形成した接合片を介して、止水部を目地材に取り付けたことを特徴とするコンクリート構造物の止水部及び目地板部の連結構造。【選択図】  図１
0003132635.tif 000002
【実用新案登録請求の範囲】
【請求項１】
コンクリートの連結部に目地材を配置するとともに、当該目地材の両面の長さ方向に沿って目地材と直交する方向に止水部を突き合わせ、止水部の幅方向の端部の突き合わせ部分に目地材と平行に形成した接合片を介して、止水部を目地材に取り付けたことを特徴とするコンクリート構造物の止水部及び目地板部の連結構造。
【請求項２】
前記目地材が、複数の単位目地材をＨ型断面の継手部材の溝部に収納して連結されていることを特徴とする請求項１に記載のコンクリート構造物の止水部及び目地板部の連結構造。
【請求項３】
前記目地材が、複数の単位目地材を、片方の単位目地材の端面に設けた突起もしくは突条を他方の単位目地材の端面に設けた溝部に収納して連結されていることを特徴とする請求項１に記載のコンクリート構造物の止水部及び目地板部の連結構造。
【請求項４】
前記止水部の幅方向の端部の突き合わせ部分に目地材と平行に形成した接合片が、止水部の幅方向の端部の片側もしくは両側に設けられていることを特徴とする請求項１に記載のコンクリート構造物の止水部及び目地板部の連結構造。
【請求項５】
前記止水部の幅方向の端部の突き合わせ部分に目地材と平行に形成した接合片が、目地材の所定位置に接着により取り付けられ、必要に応じて固着手段によって目地材に固着されることを特徴とする請求項１に記載のコンクリート構造物の止水部及び目地板部の連結構造。
【請求項６】
前記止水部が、複数の単位止水部の長さ方向のそれぞれの端部に係合用の突起もしくは凹部を設けてあり、各止水部を長さ方向に連結する際に前記突起もしくは凹部を互いに係合して連結するようにしたことを特徴とする請求項１に記載のコンクリート構造物の止水部及び目地板部の連結構造。
【請求項７】
前記止水部が、長尺の止水部を所定の長さに切断して使用するようにしたことを特徴とする請求項１に記載のコンクリート構造物の止水部及び目地板部の連結構造。
【請求項８】
前記止水部が、板面に直交するよう幅方向に向かって長さ方向に沿った複数列のリブを設けられていることを特徴とする請求項１に記載のコンクリート構造物の止水部及び目地板部の連結構造。
【考案の詳細な説明】
【技術分野】
【０００１】
この考案は、コンクリート構造物の連結部において発生する漏水を止水するための構造に関し、特に躯体の連結部に介在させた目地材が経年変化でコンクリート構造物の膨張や収縮に対応できなくなっても、目地材に取り付けた止水板が確実に漏水を防止することができ、しかもコンクリート構造物への組付けを簡易かつ迅速に施工できるようにしたコンクリート構造物の止水部及び目地板部の連結構造に関する。
【背景技術】
【０００２】
コンクリート構造物からの漏水はほとんどの場合に発生し、これまでも各種の止水構造が提案されている。すなわち、コンクリート構造物を所定の間隔で分割し、その連結部に目地材を介在させて夏場のコンクリート構造物の膨張や冬場のコンクリート構造物の収縮を吸収するようにしている。
【０００３】
そのような用途に使用される目地材としては、アスファルトを主成分とする瀝青タイプの目地板、アスファルトに繊維質素材を配合した瀝青繊維質目地板、樹脂もしくはゴム発泡体目地板、加熱型ゴムアスファルト注入目地材等が挙げられる。
【０００４】
しかしながら、上述の各種止水用目地板や止水用目地材においても、長期間の経年変化により止水用目地板や止水用目地材がコンクリート構造物の膨張や収縮に対応できなくなってしまい、一定の期間ごとに目地材を注入すること等によって補修する必要があった。そして、そのような補修をしない場合には、あるいは補修が追いつかない場合には漏水の結果を招いてしまう。
【０００５】
そこで、特公昭４８−２３３８２号公報（特許文献１参照）や実公昭４８−３１６０５号公報（特許文献２参照）、特開昭５９−６３１１０号公報（特許文献３参照）のように、止水板を目地板を横断して目地板の両側に突出させ、長期間の経年変化により止水用目地板や止水用目地材がコンクリート構造物の膨張や収縮に対応できなくなっても、その止水作用が損なわれないようにすることが提案されている。
【特許文献１】特公昭４８−２３３８２号公報
【特許文献２】実公昭４８−３１６０５号公報
【特許文献３】特開昭５９−６３１１０号公報
【考案の開示】
【考案が解決しようとする課題】
【０００６】
しかしながら上記従来例においては、目地板を介して左右に配置されるコンクリートを打設する際、目地板の両側を同時に打設することができず、工期がかかりすぎるという問題があった。
しかも止水部と目地材との組付けが面倒であり、また組付けにも時間や人手を要するという問題点があった。
【０００７】
そこでこの考案は、目地板を介して左右に配置されるコンクリートを打設する際、目地板の両側を同時に打設することを可能として、工期を大幅に短縮することが可能であり、しかも止水部と目地材との組付けが簡単であり、また組付けにも時間や人手が不要であって、簡易かつ迅速に施工できるようにしたコンクリート構造物の止水部及び目地板部の連結構造を提供しようとするものである。
【課題を解決するための手段】
【０００８】
すなわちこの考案のコンクリート構造物の止水部及び目地板部の連結構造は、コンクリートの連結部に目地材を配置するとともに、当該目地材の両面の長さ方向に沿って目地材と直交する方向に止水部を突き合わせ、止水部の幅方向の端部の突き合わせ部分に目地材と平行に形成した接合片を介して、止水部を目地材に取り付けたことを特徴とするものである。
【０００９】
この考案のコンクリート構造物の止水部及び目地板部の連結構造は、前記目地材が、複数の単位目地材をＨ型断面の継手部材の溝部に収納して連結されていることをも特徴とするものである。
【００１０】
この考案のコンクリート構造物の止水部及び目地板部の連結構造は、前記目地材が、複数の単位目地材を、片方の単位目地材の端面に設けた突起もしくは突条を他方の単位目地材の端面に設けた溝部に収納して連結されていることをも特徴とするものである。
【００１１】
この考案のコンクリート構造物の止水部及び目地板部の連結構造は、前記止水部の幅方向の端部の突き合わせ部分に目地材と平行に形成した接合片が、止水部の幅方向の端部の片側もしくは両側に設けられていることをも特徴とするものである。
【００１２】
この考案のコンクリート構造物の止水部及び目地板部の連結構造は、前記止水部の幅方向の端部の突き合わせ部分に目地材と平行に形成した接合片が、目地材の所定位置に接着により取り付けられ、必要に応じて固着手段によって目地材に固着されることをも特徴とするものである。
【００１３】
この考案のコンクリート構造物の止水部及び目地板部の連結構造は、前記止水部が、単位止水部の長さ方向のそれぞれの端部に係合用の突起もしくは凹部を設けてあり、各止水部を長さ方向に連結する際に前記突起もしくは凹部を互いに係合して連結するようにしたことをも特徴とするものである。
【００１４】
この考案のコンクリート構造物の止水部及び目地板部の連結構造は、前記止水部が、長尺の止水部を所定の長さに切断して使用するようにしたことをも特徴とするものである。
【００１５】
この考案のコンクリート構造物の止水部及び目地板部の連結構造は、前記止水部が、板面に直交するよう幅方向に向かって長さ方向に沿った複数列のリブを設けられていることをも特徴とするものである。
【考案の効果】
【００１６】
この考案のコンクリート構造物の止水部及び目地板部の連結構造によれば、目地板を介して左右に配置されるコンクリートを打設する際、目地板の両側を同時に打設することを可能として、工期を大幅に短縮することが可能であり、しかも止水部と目地材との組付けが簡単であり、また組付けにも時間や人手が不要であって、簡易かつ迅速に施工できるようになった。
より詳しく述べると次の通りである。
１）小型構造物から大型構造物まで対応できる。
２）止水部と目地部を併せ持つ構造により、左右同時打設、工期短縮が可能である。
３）止水部と目地部の組立が容易である。
４）止水部・目地部を積上げられる（継手部に凸・凹を設け接着することも可能）
５）止水部と目地部が別々であるため運搬・保管しやすい。
【考案を実施するための最良の形態】
【００１７】
以下、この考案によるコンクリート構造物の止水部及び目地板部の連結構造を、図面に基いて詳細に説明する。
図面はこの考案のコンクリート構造物の止水部及び目地板部の連結構造の実施例を示すもので、図１はコンクリート打設用型枠に目地材を取り付けた状態の斜視図、図２は打設したコンクリート構造物の斜視図、図３は小型構造物の構築に用いるコンクリート打設用型枠に目地材を取り付けた状態の透視図、図４は大型構造物の構築に用いるコンクリート打設用型枠に目地材を取り付けた状態の透視図、図５はコンクリート構造物の止水部及び目地板部の連結構造の第１の実施例を示す斜視図、図６は図５の実施例の変形例を示す斜視図、図７はコンクリート構造物の止水部及び目地板部の連結構造の第２の実施例を示す斜視図、図８は図７の実施例の変形例を示す斜視図、図９は図７の実施例の変形例を示す斜視図、図１０はコンクリート構造物の止水部及び目地板部の連結構造の第３の実施例を示す斜視図、図１１は図１０の実施例の変形例を示す斜視図、図１２はコンクリート構造物の止水部及び目地板部の連結構造の第４の実施例を示す斜視図、図１３は図１２の実施例の変形例を示す斜視図、図１４は図１０の実施例の変形例を示す斜視図、図１５ａは図５の実施例の側面図、図１５ｂは図７の実施例の側面図、図１６ａは図１５ａの目地材および止水部の組付け構造を長さ方向に連結した状態の側面図、図１６ｂは図１５ｂの目地材および止水部の組付け構造を長さ方向に連結した状態の側面図、図１７ａは図５の実施例の平面図、図１７ｂは図６の実施例の平面図、図１７ｃは図７の実施例の平面図、図１７ｄは図８の実施例の平面図、図１８ａは図１０の実施例の平面図、図１８ｂは図１１の実施例の平面図、図１８ｃは図１２の実施例の平面図、図１８ｄは図１３の実施例の平面図、図１９ａは目地材と止水部とのそれぞれ連結構造を示す平面図、図１９ｂは図１９ａの別の例を示す平面図、図１９ｃは目地材と止水部とのそれぞれ連結構造を示す平面図、図１９ｄは図１９ｃの別の例を示す平面図、図２０ａは目地材の連結構造の１例を示す斜視図、図２０ｂは図２０ａの縦断面図、図２０ｃは図２０ａの横断面図、図２０ｄは継手構造の複数の例を示す概略断面図、図２１ａは目地材の連結構造の他の例を示す斜視図、図２１ｂ−１は丸形継手部分の正面図、図２１ｂ−２は角形継手部分の正面図、図２１ｃ−１は継手部分の断面図、図２１ｃ−２は継手部分の他の例を示す断面図、図２１ｄ−１は継手形状の１例を示す概略図、図２１ｄ−２は継手形状の他の例を示す概略図、図２２ａは目地材の連結構造の他の例を示す斜視図、図２２ｂ−１は継手部分の断面図、図２２ｂ−２はその変形例の断面図、図２２ｃ−１は継手部分の他の例を示す断面図、図２２ｃ−２はその変形例の断面図、図２２ｄはその側面図、図２３ａは目地材の連結構造の他の例を示す斜視図、図２３ｂ−１は継手部分の断面図、図２３ｂ−２はその変形例の断面図、図２３ｃ−１は継手部分の他の例を示す断面図、図２３ｃ−２はその変形例の断面図、図２４ａは目地材と止水部との連結構造のさらに別の例を示す斜視図、図２４ｂは継手部分の縦断面図、図２４ｃ−１は継手部分の他の例を示す断面図、図２４ｃ−２はその変形例の断面図、図２４ｄは継手構造の複数の例を示す概略断面図、図２４ｅは図２４ａの全体構造の断面図、図２５ａはコンクリート構造物の止水部及び目地板部の連結構造の第５の実施例を示す斜視図、図２５ｂはａの縦断面図、図２５ｃ−１は継手部分の他の例を示す断面図、図２５ｃ−２はその変形例の断面図、図２５ｄは継手構造の複数の例を示す概略断面図、図２５ｅ−１は図２５ａの横断面図、図２５ｅ−２はその変形例を示す断面図、図２６ａは型枠に取り付けた面棒を示す斜視図、図２６ｂは面棒の１例を示す斜視図、図２６ｃはその断面図、図２７はコンクリート工事の施工の工程をフローチャートである。
【００１８】
図１ないし図３において、目地材１１はアスファルトを主成分とする瀝青タイプの目地板、アスファルトに繊維質素材を配合した瀝青繊維質目地板、ＰＶＣその他の樹脂もしくはゴム発泡体目地板等の素材を用いてシート状に成形されている。もちろん、この考案は市販の目地材にも適用できる。この目地材１１は、押出成形等によって所定幅の長尺材に成形されている。
【００１９】
また、止水部１２もアスファルトを主成分とする瀝青タイプの目地板、アスファルトに繊維質素材を配合した瀝青繊維質目地板、ＰＶＣその他の樹脂もしくはゴム発泡体目地板等の素材を用いてシート状に成形されている。この止水部１２も、押出成形等によって所定幅の長尺材に成形されている。
【００２０】
より詳しく説明すると、止水板１２の素材として上記目地材１１と同様にアスファルトを主成分とする瀝青タイプの目地板、アスファルトに繊維質素材を配合した瀝青繊維質目地板、樹脂もしくはゴム発泡体目地板等を利用することができるが、その場合には目地材１１よりも硬質に形成しておくことが望ましい。上記樹脂の例としては、ポリ塩化ビニール（ＰＶＣ）やポリエチレンやポリプロピレン等のポリオレフィン系樹脂が挙げられる。
また、上記素材に代えて他の合成樹脂、あるいは硬質ゴム等を上記形状に成形したものを使用することもできる。いずれにしても止水部１２はその取り扱い上、目地材１１に取り付ける際に所定の剛性や硬度等を備えていることが望ましい。
【００２１】
図１ないし図３に示すように、前記シート状の目地材１１は所定の型枠１００内の中ほどを仕切るように取り付けられ、またその中ほど両側に止水部１２が先端を打設するコンクリート内に突出するよう配設される。
その状態で型枠１００内にコンクリートを打設し、養生して脱型したのが図２に示すコンクリート構造物１０である。このコンクリート構造物１０は長さ方向のほぼ中ほどに目地材１１が介在し、さらに目地材１１の中ほど両面に、止水部１２が打設したコンクリート内に入り込むよう配設されているので、長期間の経年変化により目地材１１がコンクリート構造物の膨張や収縮に対応できなくなっても、止水部１２が存在することによってその止水作用が損なわれることがない。
上記図１ないし図３の実施例は小型構築物の施工例を示すものである。
【００２２】
図４は大型構築物の施工例を示すもので、下部のコンクリート構築物の上に型枠１００を組付け、前記シート状の目地材１１を当該型枠１００内の中ほどを仕切るように取り付けて、またその中ほど両側に止水部１２が先端を打設するコンクリート内に突出するよう配設する。その状態で型枠１００内にコンクリートを打設し、養生して脱型すればコンクリート構造物が得られる。
より詳しく説明すると、従来のコンクリート工事の施工方法では、長尺シートからなる目地材を型枠に設置する際、型枠の中ほどに一旦仕切り型枠を取り付け、その片側にコンクリートを打設して養生後、仕切り型枠を脱型してその後目地材を設置し、もう片側を打設しなければならなかった。またその際、コンクリートを上方へ打ち継ぐ場合、長尺シートからなる目地板を使用していて止水効果の面で途中で切断することが難しいため、目地板が重く、施工が非常に大変であった。
しかしながら、この考案のコンクリート構造物の止水部及び目地板部の連結構造を採用すると、止水部と目地材部とを別体とし、なおかつ予め自立可能に連結しているので、目地材の両側にコンクリートを同時に打設することができ、またコンクリートを上方に打ち継いで行く場合も、目地材部および止水部を簡単に連結することができるため、大幅な工期短縮が可能である。
図において２０は、目地材１１と下部のコンクリート構築物１０との間に張り渡したセパレータ（丸棒鋼・帯鋼等からなる。以下セパという。）である。
なお、図４では型枠内に目地材と止水部とを縦方向に設置して、コンクリートを上方に打ち継いで行く場合について図示したが、目地材と止水部を横方向に延長してコンクリートを横方向に打ち継いで行く場合にも採用できることはもちろんである。
【００２３】
図５以下は、上記構造のコンクリート構造物の止水部及び目地板部の連結構造をコンクリート構造物の連結部に適用する場合を示している。
第１の実施例を示す図５において、コンクリート構造物の連結部には所定のサイズに切断した目地材１１が介在され、その両面には一対の止水部１２が相対向する位置に取り付けられている。そして、止水部１２はコンクリート構造物の連結部において、コンクリート構造物の端面から所定の深さまで入り込むように組込まれるものである。
【００２４】
前記止水部１２は、目地材１１の両面の長さ方向に沿って目地材１１と直交する方向にその側端部を突き合わせるとともに、止水部１２の幅方向の端部の突き合わせ部分には目地材１１と平行に形成した接合片１３を介して目地材１１に取り付けたものである。
図５に示す実施例において、前記止水部１２の幅方向の端部の突き合わせ部分に目地材１１と平行に形成した接合片１３は、止水部１２の幅方向の端部の両側に設けられている。また止水部１２のコンクリート内部に突出する端部には必要に応じて膨頭部１４が、止水部１２の両側面にはその板面に直交するよう幅方向に向かって長さ方向に沿った複数列のリブ（フィン）１５が形成してある。これらの膨頭部１４およびリブ（フィン）１５は打設したコンクリートにより強固に結合するようにするためのものである。
また、止水部１２の長さ方向のそれぞれの端部には係合用の突起１６もしくは凹部１７を設けてあり、各止水部１２を長さ方向に連結する際に前記突起１６もしくは凹部１７を互いに係合して連結するように構成されている。
【００２５】
前記止水部１２の幅方向の端部の突き合わせ部分に目地材１１と平行に形成した接合片１３は、施工の際には目地材１１の所定位置に接着される。この接着層１１１の形成は、止水部１２の接合片１３を目地材１１に接着剤を介して接着したり、両面接着テープを予め接合片１３の接合面に貼付しておき、剥離テープを剥がした上で目地材１１に貼付すること等によって行なうことができる。
【００２６】
図５では、上記接着に加えてさらに別の固着手段によって止水部１２を目地材１１に固着している。すなわち、接合片１３の外面に帯鋼等からなる押圧材１８をその長さ方向に沿って配置し、その上から所定の間隔でボルト及びナット１９を取り付けてより強固に固着しているのである。
コンクリート構造物が小規模で打設したコンクリートによる引張力が小さかったり、接着剤や両面接着テープの接着力が強固であれば、図５に示すよう固着手段を講じる必要はない。また、前記帯鋼等からなる押圧材１８もコンクリート構造物が小規模で引張力が小さい場合には必要としない場合がある。
図１５ａに図５の実施例の側面図を、図１７ａに図５の実施例の平面図を示す。
【００２７】
以上のような止水部１２を用いたことにより、目地材１１が市販されているものであっても対応することができ、止水部１２の設置位置や法・勾配を自由に調整することができ、また止水部１２を積み重ねて使用することができるのである。
もちろん、止水部１２と目地材１１とを予め連結しているので、目地材１１の両側にコンクリートを同時に打設することができ、またコンクリートを上方に打ち継いで行く場合も、止水部１２および目地材１１を簡単に連結することができるので、大幅な工期短縮が可能である。
図６は図５の実施例の変形例を示すものであり、接合片１３の端部に傾斜面１３ａを形成して当該端部にかかるコンクリート打設時の不可を軽減するようにしたものである。
図１７ｂに図６の実施例の平面図を示す。
【００２８】
図７及び図８はこの考案のコンクリート構造物の止水部及び目地板部の連結構造の第２の実施例を示すものであり、図５および図６と異なって接合片１３に押圧材１８やボルトナット１９を使用しないものである。
図１５ｂに図７の実施例の側面図を、図１７ｃに図７の実施例の平面図を示す。
図８は図７の実施例の変形例を示すものであり、接合片１３の端部に傾斜面１３ａを形成して当該端部にかかるコンクリート打設時の不可を軽減するようにしたものである。
図１７ｄに図８の実施例の平面図を示す。
図９に示す実施例は、止水部１２の長さ方向のそれぞれの端部に形成した係合用の突起１６もしくは凹部１７をＴ字形としたものである。なお、図１７ａ〜ｄにおいては、係合用の突起１６もしくは凹部１７をＴ字形とした場合について図示している。
【００２９】
図１０及び図１１に示す第３の実施例において、前記止水部１２の幅方向の端部の突き合わせ部分に目地材１１と平行に形成した接合片１３は、止水部１２の幅方向の端部の片側にＬ字状をなすよう設けられている。コンクリート構造物が小規模で打設したコンクリートによる引張力が小さかったり、接着剤や両面接着テープの接着力が強固であれば、この実施例の接合片１３であっても十分である。
図１０は接合片１３の外面に帯鋼等からなる押圧材１８をその長さ方向に沿って配置し、その上から所定の間隔でボルト及びナット１９を取り付けた例を示している。
また図１１は接合片１３の外側端部をテーパ状に加工して、コンクリートによる引張力が作用しても当該部分の剥離をできるだけ少なくしようとするものである。
図１８ａは図１０の実施例の平面図、図１８ｂは図１１の実施例の平面図を示す。
【００３０】
図１２及び図１３はこの考案のコンクリート構造物の止水部及び目地板部の連結構造の第４の実施例を示すものであり、帯鋼等からなる押圧材１８やボルトナット１９のような固着手段を採用しない例をそれぞれ示している。
図１２は接合片１３の外側端部を角形断面にしたものであり、また図１３はテーパ状に加工して、コンクリートによる引張力が作用しても当該部分の剥離をできるだけ少なくしようとするものである。
図１４に示す実施例は、止水部１２の長さ方向のそれぞれの端部に形成した係合用の突起１６もしくは凹部１７をＬ字形としたものである。
図１８ｃは図１０の実施例の平面図、図１８ｄは図１１の実施例の平面図を示す。
なお、図１８ａ〜ｄにおいては、係合用の突起１６もしくは凹部１７をL字形とした場合について図示している。
【００３１】
図１６に示す実施例は、止水部１２の長さ方向のそれぞれの端部に形成した係合用の突起１６もしくは凹部１７を係合し、止水部１２を積み重ねて使用する場合を説明するためのものである。
図１６ａは図５の実施例の止水部及び目地板部の連結構造を積み重ねた状態の側面図であり、図１６ｂは図７の実施例の止水部及び目地板部の連結構造を積み重ねた状態の側面図である。
【００３２】
図１９にこの考案のコンクリート構造物の止水部及び目地板部の連結構造の他の実施例を示す。
図１９ａは目地材と止水部とのそれぞれ連結構造を示す横断面図、図１９ｂは図１９ａの別の例を示す横断面図、図１９ｃは目地材と止水部とのそれぞれ連結構造を示す横断面図、図１９ｄは図１９ｃの別の例を示す横断面図であり、いずれも止水部１２の目地材１１との接合端部にＴ字形断面の係合部２１を形成したものである。図１９ａおよび図１９ｂの例では前記端部に周溝２２を形成してＴ字形の係合部２１とし、図１９ｃおよび図１９ｄの例では前記端部に直交して凸部２３を形成してＴ字形の係合部２１としている。
【００３３】
図２０は目地材１１の連結構造の１例を示すもので、図２０ａは連結した目地材１１の斜視図、図２０ｂはその縦断面図、図２０ｃはその横断面図、図２０ｄは継手構造の複数の例を示す概略断面図である。
この例では目地材１１の端面に凹凸３１，３２を形成し、それらを突き合わせて係合するようにしたものである。前記凹凸状の接合部の例としては、図２０ｄのようにＴ型、凹凸型、先端にくさび状の係合片を備えた凹凸型とすることができる。
【００３４】
図２１は目地材１１の連結構造の他の例を示すもので、図２１ａは連結した目地材１１の斜視図、図２１ｂ−１は丸形継手部分の正面図、図２１ｂ−２は角形継手部分の正面図である。
この例では継手４１の形状をＨ型断面に形成し、その溝部に目地材１１を差し込んで係合するようにしたものである。前記継手形状の例としては図２１ｃ−１のように内壁を直線状としたり、図２１ｃ−２のように内壁にフック状の突起を形成することができる。
また、前記継手形状の全体形状としては図２１ｄ−１のように端面を山形としたり、図２１ｄ−２のように端面を角形に形成することができる。
【００３５】
図２２ａは目地材１１の連結構造の他の例を示すものである。
この例では継手５１の形状をＨ型断面に形成し、その溝部に目地材１１を差し込んで係合するようにし、さらに継手５１の側面に突条５２を突設したものである。前記継手形状の例としては図２２ｂ−１、図２２ｃ−１のように内壁を直線状としたり、図２２ｂ−２、図２２ｃ−２のように内壁にフック状の突起を形成することができる。
また、前記継手形状の全体形状を図２２ｄに示す。
【００３６】
図２３ａは目地材１１のさらに別の例を示すものである。
この例では継手５１の形状をＨ型断面に形成し、その溝部に目地材１１を差し込んで係合するようにし、さらに継手５１の側面に突条５２を突設したものである。前記継手形状の例としては図２３ｂ−１、図２３ｃ−１のように内壁を直線状としたり、図２３ｂ−２、図２３ｃ−２のように内壁にフック状の突起を形成することができる。
また、前記目地材１１の所定位置には、その両面に止水部１２が取り付けられている。この止水部１２の取付方法も前記した接着やボルトナット等の手段を採用することが可能である。
なお図２３ａにおいて５３はセパである。
【００３７】
図２４ａは目地材１１のさらに別の例を示すものである。
この例では目地材１１の連結を図２４ｂのテーパ付きの凹凸を係合して行っても、図２４ｃ−１および図２４ｃ−２のように継手７４の形状をＨ型断面に形成し、その溝部に目地材１１を差し込んで係合するようにすることができる。前記継手形状の例としては図２４ｃ−１のように内壁を直線状としたり、図２４ｃ−２のように内壁にフック状の突起を形成することができる。図２４ｄは継手構造の複数の例を示すものである。
図２４ｅの例でも目地材１１の連結をその端面に形成した凹凸を係合することによって行い、多数連結した目地材１１の両面に形成した溝部７３に、抜け止め片７２を備えた止水部７１の端面を挿入固定したものである。
また、多数連結した目地材１１の両面には、所定の間隔で複数のＬ型補強材７５をボルトナット７６等で固定してある。
なお図２４ａにおいて７７はセパである。
【００３８】
図２５ａおよび図２５ｂは目地材１１のさらに別の例を示すものである。
この例では目地材１１の連結を図２５ｂのテーパ付きの凹凸を係合して行っているが、図２５ｃ−１および図２５ｃ−２のように継手９４の形状をＨ型断面に形成し、その溝部に目地材１１を差し込んで係合するようにすることができる。前記継手形状の例としては図２５ｃ−１のように内壁を直線状としたり、図２５ｃ−２のように内壁にフック状の突起を形成することができる。図２５ｄは継手構造の複数の例を示すものである。
図２５ｅ−１の例では目地材１１の連結をその端面に形成した凹凸を係合することによって行い、多数連結した目地材１１の両面に形成した溝部９３に、抜け止め片９２を備えた止水部９１の端面を挿入固定したものである。
また、多数連結した目地材１１の両面には、所定の間隔で溝部９５が形成されており、この溝部９５に複数のＴ型補強材９６を挿入固定してある。
図２５ｅ−２の例では多数連結した目地材１１の両面には、所定の間隔で溝部９５が形成されており、この溝部９５に複数のＬ型補強材９７を挿入固定してある。
なお図２５ａにおいて９８はセパである。
【００３９】
図２６ａは型枠に取り付けた面棒を示す斜視図であり、図２６ｂに示す面棒１０１には図２６ｃの断面図に示すように、面棒１０１表面に接着剤１０２を介してシールテープ１０３が貼付してある。
【００４０】
図２７はこの考案のコンクリート構造物の止水部及び目地板部を施工する工程を説明するためのフローチャートである。
以下上記工程について説明すると次の通りである。
＊一般的なコンクリート工事の施工の工程（止水板を設置する場合）
１）現在のコンクリート工事の流れ
ａ．型枠組立
ｂ．仕切型枠（止水板設置）
ｃ．左側コンクリート打設
ｄ．左側コンクリート養生
ｅ．右側コンクリート打設
ｆ．右側コンクリート養生
ｇ．型枠解体
以上のように、従来のコンクリート工事においては、目地材の両側を片側ずつ施工する必要があり、工期が長引いたり、コストアップの原因となっていた。
【００４１】
２）この考案のコンクリート構造物の止水部及び目地板部を適用したコンクリート工事の流れ
ａ．型枠組立
ｂ．止水板・目地板設置
ｃ．左右コンクリート打設
ｄ．左右コンクリート養生
ｅ．型枠解体
以上のように、この考案のコンクリート構造物の止水部及び目地板部を適用したコンクリート工事においては、止水部及び目地板部が止水部と目地材の機能を併せ持つような構造としてあるので、目地材の両側を同時に施工することができ、したがって大幅に工期が短縮でき、コスト低減を図ることが可能である。
【００４２】
上記実施例のコンクリート構造物の止水部及び目地板部の連結構造は、田んぼの畦の側溝や道路の路側帯の排水溝ないし側溝、道路や水路の擁壁部分、あるいはその他のコンクリート構造物の連結部に適用することができる。そして、それらに止水効果の非常に高いコンクリート構造物の連結部の止水構造を提供することができる。
【産業上の利用可能性】
【００４３】
この考案によれば、躯体の連結部に介在させた目地材が経年変化でコンクリート構造物の膨張や収縮に対応できなくなっても、目地材に取り付けた止水部が確実に漏水を防止することができ、しかもコンクリート構造物への組付けを簡易かつ迅速に施工できるようにした、高品質のコンクリート構造物の止水部及び目地板部の連結構造を提供することができるようになった。
【００４４】
また、この考案のコンクリート構造物の止水部及び目地板部の連結構造によれば、コンクリート構造物への組込みが容易であり、しかもコンクリート構造物のサイズがどのようなものであっても、簡単かつ迅速にそのサイズの変更に対応することができる。
【図面の簡単な説明】
【００４５】
【図１】コンクリート打設用の型枠に目地材を取り付けた状態の斜視図である。
【図２】打設したコンクリート構造物の斜視図である。
【図３】小型構造物の構築に用いるコンクリート打設用型枠に目地材を取り付けた状態の透視図である。
【図４】大型構造物の構築に用いるコンクリート打設用型枠に目地材を取り付けた状態の透視図である。
【図５】コンクリート構造物の止水部及び目地板部の連結構造の第１の実施例を示す斜視図である。
【図６】図５の実施例の変形例を示す斜視図である。
【図７】コンクリート構造物の止水部及び目地板部の連結構造の第２の実施例を示す斜視図である。
【図８】図７の実施例の変形例を示す斜視図である。
【図９】図７の実施例の変形例を示す斜視図である。
【図１０】コンクリート構造物の止水部及び目地板部の連結構造の第３の実施例を示す斜視図である。
【図１１】図１０の実施例の変形例を示す斜視図である。
【図１２】コンクリート構造物の止水部及び目地板部の連結構造の第４の実施例を示す斜視図である。
【図１３】図１２の実施例の変形例を示す斜視図である。
【図１４】図１０の実施例の変形例を示す斜視図である。
【図１５】ａは図５の実施例の側面図、ｂは図７の実施例の側面図である。
【図１６】ａは図１５ａの目地材および止水部の組付け構造を長さ方向に連結した状態の側面図、ｂは図１５ｂの目地材および止水部の組付け構造を長さ方向に連結した状態の側面図である。
【図１７】ａは図５の実施例の平面図、ｂは図６の実施例の平面図、ｃは図７の実施例の平面図、ｄは図８の実施例の平面図である。
【図１８】ａは図１０の実施例の平面図、ｂは図１１の実施例の平面図、ｃは図１２の実施例の平面図、ｄは図１３の実施例の平面図である。
【図１９】ａは目地材と止水部とのそれぞれ連結構造を示す横断面図、ｂはａの別の例を示す横断面図、ｃは目地材と止水部とのそれぞれ連結構造を示す横断面図、ｄは図１９ｃの別の例を示す横断面図である。
【図２０】ａは目地材の連結構造の１例を示す斜視図、ｂはａの縦断面図、ｃは図２０ａの横断面図、ｄは継手構造の複数の例を示す概略断面図である。
【図２１】ａは目地材の連結構造の他の例を示す斜視図、ｂ−１は丸形継手部分の正面図、ｂ−２は角形継手部分の正面図、ｃ−１は継手部分の断面図、ｃ−２は継手部分の他の例を示す断面図、ｄ−１は継手形状の１例を示す概略図、ｄ−２は継手形状の他の例を示す概略図である。
【図２２】ａは目地材の連結構造の他の例を示す斜視図、ｂ−１は継手部分の断面図、ｂ−２はその変形例の断面図、ｃ−１は継手部分の他の例を示す断面図、ｃ−２はその変形例の断面図、ｄはその側面図である。
【図２３】ａは目地材の連結構造の他の例を示す斜視図、ｂ−１は継手部分の断面図、ｂ−２はその変形例の断面図、ｃ−１は継手部分の他の例を示す断面図、ｃ−２はその変形例の断面図である。
【図２４】ａは目地材と止水部との連結構造のさらに別の例を示す斜視図、ｂは継手部分の縦断面図、ｃ−１は継手部分の他の例を示す断面図、ｃ−２はその変形例の断面図、ｄは継手構造の複数の例を示す概略断面図、ｅは図２４ａの全体構造の断面図である。
【図２５】ａはコンクリート構造物の止水部及び目地板部の連結構造の第５の実施例を示す斜視図、ｂはａの縦断面図、ｃ−１は継手部分の他の例を示す断面図、ｃ−２はその変形例の断面図、ｄは継手構造の複数の例を示す概略断面図、ｅ−１はａの横断面図、ｅ−２はその変形例を示す断面図である。
【図２６】ａは型枠に取り付けた面棒を示す斜視図、ｂは面棒の１例を示す斜視図、ｃはその断面図である。
【図２７】コンクリート工事の施工の工程をフローチャートである。
【符号の説明】
【００４６】
１０  コンクリート構造物
１１  目地材
１２  止水部
１３  接合片
１３ａ  傾斜面
１４  膨頭部
１５  リブ（フィン）
１６  突起
１７  凹部
１８  押圧材
１９  ボルトナット
２０  セパ
２１  係合部
２２  周溝
２３  凸部
３１，３２  凹凸
４１  継手
５１  継手
５２  突条
５３  セパ
７１  止水部
７２  抜け止め片
７３  溝部
７４  継手
７５  Ｌ型補強材
７６  ボルトナット
７７  セパ
９１  止水部
９２  抜け止め片
９３  溝部
９４  継手
９５  溝部
９６  Ｔ型補強材
９７  Ｌ型補強材
９８  セパ
１００  型枠
１０１  面棒
１０２  接着剤
１０３  シールテープ
１１１  接着層
【図１】
0003132635.tif 000003
【図２】
0003132635.tif 000004
【図３】
0003132635.tif 000005
【図４】
0003132635.tif 000006
【図５】
0003132635.tif 000007
【図６】
0003132635.tif 000008
【図７】
0003132635.tif 000009
【図８】
0003132635.tif 000010
【図９】
0003132635.tif 000011
【図１０】
0003132635.tif 000012
【図１１】
0003132635.tif 000013
【図１２】
0003132635.tif 000014
【図１３】
0003132635.tif 000015
【図１４】
0003132635.tif 000016
【図１５】
0003132635.tif 000017
【図１６】
0003132635.tif 000018
【図１７】
0003132635.tif 000019
【図１８】
0003132635.tif 000020
【図１９】
0003132635.tif 000021
【図２０】
0003132635.tif 000022
【図２１】
0003132635.tif 000023
【図２２】
0003132635.tif 000024
【図２３】
0003132635.tif 000025
【図２４】
0003132635.tif 000026
【図２５】
0003132635.tif 000027
【図２６】
0003132635.tif 000028
【図２７】
0003132635.tif 000029
【手続補正書】
【提出日】平成19年4月12日(2007.4.12)
【手続補正１】
【補正対象書類名】図面
【補正対象項目名】図２３
【補正方法】変更
【補正の内容】
【図２３】
0003132635.tif 000030